(57)【要約】【課題】  乗降口での安全性をより高めたマンコンベアの安全装置を提供することを目的とする。【解決手段】  複数のステップが無端状に連結され、コムを備えた両端の乗降プレートの間を循環移動するものにおいて、コムを支持する支持体の裏面には先端に丸みを帯びたすくい上げ形状の補助コムを備えるもので、補助コムは、ステップに向かって斜面を形成させていたり、先端に向かって湾曲した凹曲面を形成させていたりするものである。或いは、コムを支持する支持体の裏面に前記乗降プレートの幅方向に亘って侵入防止部材を備えてもよい。【選択図】        図１
2006052055.tif 000002
【特許請求の範囲】
【請求項１】
複数の踏板が無端状に連結され、コムを備えた両端の乗降プレート間を循環移動するものにおいて、
コムを支持する支持体の裏面には先端に丸みを帯びた所定の形状の補助コムを備えたことを特徴とするマンコンベアの乗降口安全装置。
【請求項２】
前記補助コムは、踏板に向かって斜面を形成していることを特徴とする請求項１に記載のマンコンベアの乗降口安全装置。
【請求項３】
前記補助コムは、先端に向かって湾曲した凹曲面を形成していることを特徴とする請求項１に記載のマンコンベアの乗降口安全装置。
【請求項４】
複数の踏板が無端状に連結され、コムを備えた両端の乗降プレート間を循環移動するものにおいて、
コムを支持する支持体の裏面には前記乗降プレートの幅方向に亘って侵入防止部材を備えたことを特徴とするマンコンベアの乗降口安全装置。
【請求項５】
前記侵入防止部材は、ゴム部材であることを特徴とする請求項４に記載のマンコンベアの乗降口安全装置。
【請求項６】
前記侵入防止部材は、クリップ形状の鋼板であることを特徴とする請求項４に記載のマンコンベアの乗降口安全装置。
【発明の詳細な説明】
【技術分野】
【０００１】
本発明は、エスカレータや動く歩道などのマンコンベアの乗降口における安全装置の改良に関するものである。
【背景技術】
【０００２】
一般的に良く知られ使用されているエスカレータは、図５に示すようにステップ１が無端状に連結されて循環移動され、乗客はこのステップ１上に乗って異なる階床間を搬送されるものであり、乗客が一方の乗降プレートから乗り込み他方の乗降プレート２に降りるものである。
【０００３】
そして、乗降口では乗客の靴などがステップ１と乗降プレート２との間に挟まれることがあり、そのための安全対策について従来からいろいろ提案されている。
即ち、特に降口では図６に示すように、案内ローラ３がブラケット５を介してコム４の支持体６に取付けられ、モータ（図示しない）により、この案内ローラ３を所定方向に回転させてコム４上の乗客の足を進行方向へ誘導するとともに、コム４の下方では侵入しようとする異物をコム４上にすくい上げるようにするものである。
【特許文献１】特許第３１５４７８８号公報
【発明の開示】
【発明が解決しようとする課題】
【０００４】
しかし一見すると、コム４の下方ではモータにより案内ローラ３がステップ１とは常に逆方向に回転しているため、異物が確実にコム４上にすくい上げられるように思われるが、仮にモータの故障により回転停止し回動自在な状況では、寧ろ異物が支持体６の下方に引き込まれる虞があり、また常にモータを回転させなければならないため、社会の趨勢である省エネの流れに逆行することにもなる。案内ローラ３自体回転していなければ、すくい上げ効果を期待することもできない。つまり、形状としては極めて不向きと言える。一方、案内ローラ３の上部側でも乗客が足を取られて転んでしまうことも考えられる。
【課題を解決するための手段】
【０００５】
本発明は、複数の踏板が無端状に連結され、コムを備えた両端の乗降プレート間を循環移動するものにおいて、
1.コムを支持する支持体の裏面には先端に丸みを帯びたすくい上げ形状の補助コムを備える。
2.コムを支持する支持体の裏面には乗降プレートの幅方向に亘って侵入防止部材を備える。
ものである。
【発明の効果】
【０００６】
本発明は、停電などの状況に関わらず、極めて確実にすくい上げ効果や侵入防止効果を発揮し、どのような乗客に対しても安全を維持できるものである。
【発明を実施するための最良の形態】
【０００７】
本発明は、コムを支持する支持体の裏面には先端に丸みを帯びたすくい上げ形状の補助コムを設けるものである。
【実施例１】
【０００８】
以下、本発明の一実施例について、図面を用いて説明する。図１は本発明の一実施例を示す拡大側面図、図２は図１のＡ−Ａ線矢視図である。
【０００９】
図中、図５及び図６と同一符号のものは同一のものを示すが、１０は本発明に係る補助コムで、コム４を支持する支持体６に取付けられ、ステップ１のクリート１ａと歯合するように配置される。そして、例えば先端が丸みを帯びており、ステップ１に向かって斜面を形成するような形状で、侵入してきた異物をコム４上へとすくい上げる効果を発揮する。この形状は、先端に向かって湾曲した凹曲面を有するものであってもよく、すくい上げ効果を有する所定の形状であればよいものである。
【００１０】
このようにすれば、コム４上方に何も食み出すものがないため、乗客が足を取られる心配がないだけでなく、コム４の下方に侵入してくる異物があったとしても、この本発明に係る補助コム１０により確実に上方へとすくい上げられるため、乗客に大きな怪我を負わせるような虞はなくなるものである。例えコム４が破損してもこの効果に変わりはない。又、補助コム１０自体が支持体６の補強部材にもなっている。
【実施例２】
【００１１】
ところで、図１に示す実施例では、上方へのすくい上げ効果が大きく安全上望ましいが、ステップ１との調整作業（噛み合わせ）などが必要で、簡便に実施できる案ではないのが難点である。このため、その他の実施例として図３及び図４に示すようなマンコンベアへの簡便な安全増し対策も考えられる。この案については、既存のマンコンベア向けにも簡単に採用・実施できるものである。
【００１２】
即ち、支持体６の裏面に、ゴム製の侵入防止部材１１或いは１１′やクリップ形状の鋼板製侵入防止部材１２をステップ１と干渉しないように、乗降プレート２の幅方向に亘って取付けるものである。このような侵入防止部材であれば、部材そのものにそれほど強度は必要がない。
【００１３】
このような侵入防止部材を設ければ、例えステップ１とコム４との間に異物が挟まれてコム４が破損しても、この侵入防止部材１１或いは１２により、異物の侵入を防止でき、乗客の靴・サンダルや指などであれば、マンコンベア内部に引きずりこまれる虞を極めて少なくできるものである。
【００１４】
以上述べたとおり、本発明に係る補助コムや侵入防止部材であれば、何ら特別な動力を必要とせず、どのような状況であっても常に安全装置として機能するため、信頼性の高いマンコンベアを得ることができるものである。
【産業上の利用可能性】
【００１５】
実施例で述べているエスカレータだけでなく、踏板としてパレットを使用するような動く歩道であっても本発明を採用することは可能である。
【図面の簡単な説明】
【００１６】
【図１】本発明の一実施例を示す拡大側面図である。
【図２】図１のＡ−Ａ線矢視図である。
【図３】本発明のその他の実施例を示す拡大側面図である。
【図４】本発明のその他の実施例を示す拡大側面図である。
【図５】エスカレータの全体斜視図である。
【図６】従来の安全装置の拡大側面図である。
【符号の説明】
【００１７】
１ ステップ
１ａ ステップ１のクリート
２ 乗降プレート
４ コム
６ コム４の支持体
１０  補助コム
１１，１１′，１２ 侵入防止部材
【図１】
2006052055.tif 000003
【図２】
2006052055.tif 000004
【図３】
2006052055.tif 000005
【図４】
2006052055.tif 000006
【図５】
2006052055.tif 000007
【図６】
2006052055.tif 000008